(57)【要約】【課題】  所望のサービス時間率の達成に必要なインターリーブ時間を短縮させる。【解決手段】  予め設定される時間に基づいてインターリーブされた伝送パケットを送信する送信装置と、前記送信装置からの伝送パケットを受信してパケットデータとして再生する受信装置とからなるインターリーブ伝送システムにおいて、前記送信装置は、入力されるパケットデータを複数の符号を合成した積符号からなる伝送パケットに符号化する符号化手段を有し、前記受信装置は、前記伝送パケットに対してデータの誤りを検出し、検出結果に基づいてパケット単位で復号又は消失を行う第１の復号化手段と、前記第１の復号化手段により得られる消失されたパケットの誤り訂正を行う第２の復号化手段とを有することにより、上記課題を解決する。【選択図】        図６
2005328397.tif 000002
【特許請求の範囲】
【請求項１】
予め設定される時間に基づいてインターリーブされた伝送パケットを送信する送信装置と、前記送信装置からの伝送パケットを受信してパケットデータとして再生する受信装置とからなるインターリーブ伝送システムにおいて、
前記送信装置は、入力されるパケットデータを複数の符号を合成した積符号からなる伝送パケットに符号化する符号化手段を有し、
前記受信装置は、前記伝送パケットに対してデータの誤りを検出し、検出結果に基づいてパケット単位で復号又は消失を行う第１の復号化手段と、前記第１の復号化手段により得られる消失されたパケットの誤り訂正を行う第２の復号化手段とを有することを特徴とするインターリーブ伝送システム。
【請求項２】
予め設定される時間に基づいてインターリーブされた伝送パケットを送信する送信装置において、
入力されるパケットデータを予め設定された時間分の書き込みを行い、書き込まれたパケットデータを書き込み方向とは異なる方向で読み出しを行うインターリーバと、
送信側では、前記インターリーバから読み出されたパケットデータを受信側で訂正させるためのパリティを付加して符号化を行い、符号化された伝送パケットを前記インターリーバに出力する第１の符号化手段と、
前記インターリーバから読み出されたパケットデータを受信側でパケット単位に消失させるためのパリティを付加して符号化を行う第２の符号化手段とを有することを特徴とする送信装置。
【請求項３】
前記第２の符号化手段により得られる伝送パケットは、
複数の符号を合成した積符号からなるフレーム構成を有することを特徴とする請求項２に記載の送信装置。
【請求項４】
送信側で消失させるパケット長を調整するためのデータバッファ手段を有することを特徴とする請求項２又は３に記載の送信装置。
【請求項５】
前記パケットデータを蓄積する複数の蓄積手段と、
前記複数の蓄積手段に対して前記パケットデータの書き込み、読み出しを交互に行うよう切り替えを行う切替手段と、
前記蓄積手段及び前記切替手段を制御して、前記複数の蓄積手段から交互に連続したパケットデータを出力させるための制御手段とを有することを特徴とする請求項２乃至４の何れか１項に記載の送信装置。
【請求項６】
予め設定される時間に基づいてインターリーブされた伝送パケットを受信する受信装置において、
前記伝送パケットに対してデータの誤りを検出し、検出結果に基づいてパケット単位で復号又は消失を行う第１の復号化手段と、
前記第１の復号化手段により得られる消失されたパケットの誤り訂正を行う第２の復号化手段とを有することを特徴とする受信装置。
【請求項７】
前記第１の復号化手段は、
入力された前記伝送パケットの誤り検出を行い、誤り数が訂正できる数を超えている場合、復号は行わずにパケット単位で消去することを特徴とする請求項６に記載の受信装置。
【請求項８】
前記伝送パケットを蓄積する複数の蓄積手段と、
前記複数の蓄積手段に対して前記伝送パケットの書き込み、読み出しを交互に行うよう切り替えを行う切替手段と、
前記蓄積手段及び前記切替手段を制御して、前記複数の蓄積手段から交互に連続した伝送パケットを出力させるための制御手段とを有することを特徴とする請求項６又は７に記載の受信装置。
【発明の詳細な説明】
【技術分野】
【０００１】
本発明は、インターリーブ伝送システム、送信装置、及び受信装置に係り、特に、インターリーブ時間を短縮するためのインターリーブ伝送システム、送信装置、及び受信装置に関する。
【背景技術】
【０００２】
近年では、広帯域を利用した情報伝送が検討されており、例えば、２１ＧＨｚ帯（２１．４〜２２．０ＧＨｚ，帯域幅６００ＭＨｚ）は、現行の１２ＧＨｚ帯のＢＳデジタル方向でサービスされているＨＤＴＶ（Ｈｉｇｈ  Ｄｅｆｉｎｉｔｉｏｎ  Ｔｅｌｅｖｉｓｉｏｎ）の約４倍の走査線に相当する走査線４０００本級の超高精細映像による放送サービス等を可能にする。
【０００３】
しかしながら、２１ＧＨｚ帯は１２ＧＨｚ帯に比べて降雨等による電波の減衰が大きいことが知られており、回線の信頼性を向上させるための電波の減衰対策が必要となる。
【０００４】
そこで、例えば、伝送路上における降雨減衰等を改善する技術として長周期インターリーブ方式が提案されている（例えば、特許文献１、非特許文献１参照。）。長周期インターリーブ方式とは、「降雨が短時間に集中して発生する傾向がある」という性質に着目し、降雨が短時間に集中して発生することで生じた部分的な連続誤りを降雨の発生時間よりも十分に長い時間にわたって拡散し、誤り訂正処理により元の信号に復元するものである。
【０００５】
ここで、従来方式におけるインターリーブ伝送システムの構成例について図を用いて説明する。図１は、従来におけるインターリーブ伝送システムの概略構成を示す一例の図である。
【０００６】
図１において、インターリーブ伝送システム１０は、送信装置１１と、受信装置１２とを有するよう構成されており、送信装置１１から送信される電波は、放送衛星１３を介して衛星伝搬路により受信装置１２に送信される。
【０００７】
送信装置１１は、ＲＳ（Ｒｅｅｄ  Ｓｏｌｏｍｏｎ）符号化部２１と、長周期インターリーバ２２と、変調部２３と、送信アンテナ２４とを有するよう構成されている。また、受信装置１２は、受信アンテナ２５と、復調部２６と、長周期デインターリーバ２７と、ＲＳ復号化部２８とを有するよう構成されている。なお、図１に示す長周期インターリーバ２２及び長周期デインターリーバ２７において、データの書き込み、読み出しを行うためのデータ蓄積手段として、メモリやハードディスク等を有する。
【０００８】
まず、送信装置１１において、パケットデータがＲＳ符号化部２１に入力される。ＲＳ符号化部２１は、受信側において降雨減衰等によって生じるデータの欠落を訂正させるためのパリティを付加してＲＳ符号化を行う。また、ＲＳ符号化部２１は、ＲＳ符号化後の伝送パケットを長周期インターリーバ２２に出力する。
【０００９】
長周期インターリーバ２２は、入力されるデータに対して予め設定されるインターリーブ時間分の書き込みを行う。次に、長周期インターリーバ２２は、蓄積されたデータを書き込んだ方向とは異なる方向に読み出し、変調部２３に出力する。変調部２３は、長周期インターリーバ２２から読み出された伝送パケットを、変調を行うアプリケーションや衛星伝送路等に適した方式で変調し、例えば所定の搬送波周波数の電波として送信アンテナ２４から送信させる。
【００１０】
ここで、送信された電波は、放送衛星１３を中継し、伝送路の途中で強い降雨等があったとして、降雨減衰の影響を受けて受信装置１２に送信される。
【００１１】
受信装置１２では、降雨減衰の影響を受けた電波を受信アンテナ２５により受信し復調部２６に出力する。復調部２６は、復調部入力周波数へ周波数変換した後、変調部での変調方式を検出し、長周期デインターリーバ２７に出力する。
【００１２】
長周期デインターリーバ２７は、復調された伝送パケットを入力した後、予め設定されたインターリーブ時間分の書き込みを行い、送信装置１１のフレーム構成と同じになるように再配置する。また、長周期デインターリーバ２７は、蓄積されたデータを書き込み方向と異なる方向に読み出し、ＲＳ復号化部２８に出力する。ＲＳ復号化部２８は、入力したデータに付加されたパリティにより誤り訂正を行った後、パケットデータとして出力（再生）する。
【００１３】
ここで、上述した長周期インターリーバ２２に蓄積される伝送フレームの構成について図を用いて説明する。図２は、従来の長周期インターリーバに蓄積される伝送フレーム構成の一例を示す図である。図２に示す伝送フレームは、Ｘ軸方向にＲＳ符号長Ｋバイトの伝送パケットが、Ｙ軸方向に伝送パケット数Ｌ個が配置された構成からなる。また、Ｋは符号ブロック長を、Ｍは情報ブロック長を示す。また、このＲＳ符号の符号化率はＭ／Ｋで表される。また、情報ブロックに付加されるパリティＮ（＝Ｋ−Ｍ）を使用して誤りの検出及び訂正を行う。
【００１４】
ＲＳ符号化部２１におけるＲＳ符号化後の伝送パケットは、長周期インターリーバ２２において、図２に示す矢印３１の順にしたがって予め設定されるインターリーブ時間分（図２においては、Ｋ×Ｌバイト）の書き込みが行われる。また、伝送フレーム分の書き込みが終了した後、長周期インターリーバ２２は、図２に示す矢印３２の順にしたがって蓄積されたデータの読み出しを行う。
【００１５】
ここで、伝送フレーム構成として、データの読み出し方向であるＹ軸方向のＬを極めて大きな値に設定すれば、蓄積容量は増加してしまうが、インターリーブ時間を長くできるという特徴を有する。
【００１６】
また、上述した長周期デインターリーバ２７に蓄積される伝送フレームの構成について図を用いて説明する。図３は、従来の長周期デインターリーバに蓄積される伝送フレーム構成の一例を示す図である。なお、図３における各符号（Ｋ，Ｌ，Ｍ，Ｎ）は、図２と同様である。
【００１７】
復調部２６により、復調された伝送パケットは、送信側と同じフレーム構成になるように図３に示す矢印３３の順にしたがって、予め設定されたインターリーブ時間分（図３において、Ｋ×Ｌバイト分）のデータが書き込まれる。
【００１８】
ここで、送信側では、図３に示すように伝送途中で降雨減衰等によって生じたデータ欠損（欠落）がＹ軸方向に連続して発生することになる。しかしながら、これをＸ軸で見た場合、データ欠落は１／Ｌバイトになりデインターリーブ後にはその誤りがＬパケット分に分散される。したがって、各パケットに含まれる誤り数は少なくなりデータ欠落部分がＲＳ符号による訂正能力範囲内にあれば、ＲＳ復号時に送信信号を再現することができる。
【００１９】
また、データを読み出す際には、図３に示す矢印３４の順にしたがってＫ×Ｌバイト分のデータを読み出し、ＲＳ復号化部２８に出力され、ＲＳ復号化部２８により、例えば受信符号多項式Ｒ（ｘ）を生成してパケットデータの復号を行う。ここで、ＲＳ復号時における受信符号多項式Ｒ（ｘ）の生成過程について図を用いて説明する。図４は、ＲＳ復号時における受信符号多項式Ｒ（ｘ）の生成過程を説明するための一例の図である。図４では、一例として、情報ブロック１８８バイト、検査ブロック１６バイトからなるパケットにおいて、連続する２バイト（１８８バイト、１８９バイト）のパケットが欠落した場合について受信符号多項式Ｒ（ｘ）の生成過程を説明する。
【００２０】
まず、送信側の符号多項式Ｆ（ｘ）が以下に示す（１）式であるとすると、受信側での符号多項式Ｒ（ｘ）は以下に示す（２）式で表される。
【００２１】
【数１】
2005328397.tif 000003
【００２２】
【数２】
2005328397.tif 000004
ここで、一般にＲＳの符号化、復号化には、「０」，「１」という２つの元を持ち、ｍｏｄ２の和と積の演算が定義されているガロア体ＧＦ（２）に仮想的な根αを付加するＧＦ（２Ｐ）ガロア拡大体が使用され計算される。また、ＧＦ（２Ｐ）では、２Ｐ（Ｐ：正の整数）個の元があり、その元の間で自由に四則演算が行える。
【００２３】
そこで、上述した（２）式の受信符号多項式Ｒ（ｘ）にガロア拡大体ＧＦ（２８）の元である根α０〜α１５を代入し、シンドローム値Ｓ０〜Ｓ１５を算出する。
【００２４】
【数３】
2005328397.tif 000005
次に、誤り位置多項式を導出するため、以下に示す（４）式に上述した（３）式の値を代入して連立方程式（４）’を解き、σ１〜σ８の解を求める。ここで、σｉは誤りの位置を表す変数であり、ｔは最大訂正可能なブロック数である。
【００２５】
【数４】
2005328397.tif 000006
次に、以下に示す（５）式にσ１〜σ８の解を代入して、誤り位置多項式σ（ｘ）を導出する。
【００２６】
【数５】
2005328397.tif 000007
【００２７】
【数６】
2005328397.tif 000008
その後、誤り位置の罫線を行うため、σ（ｘ）を０にするｘの値を算出する。ｘに代入する値は、α０〜α２５５である。図４に示す例では、左から数えて１８８、１８９バイト目に誤りが発生しているため、σ（ｘ）＝０となる条件は、ｘ＝α１８７、α１８８のときとなる。このαのべき乗の値に１を加えたものが誤り位置となる。
【００２８】
次に、誤りの値の計算を行う。その導出式は、以下に示す（７）式のようになる。ここで、Ｙｉは誤りの大きさ（値）を表す変数である。
【００２９】
【数７】
2005328397.tif 000009
最後に、上述した（７）式に（６）式を代入して以下に示す（８）式の連立方程式からσ１〜σ８の解を求める。
【００３０】
【数８】
2005328397.tif 000010
以上の処理により、（８）式に示す連立方程式からＹ１〜Ｙ８が算出される。つまり、σｉに対応した誤り位置をＹｉで置き換えれば、誤り訂正が行われたことになる。
【００３１】
上述した誤り訂正と誤り検出のアルゴリズムを用いることにより、データを復号することができる。なお、上述した（３）式のシンドロームが全て０になった場合は、誤りが発生していない場合であり、シンドロームが全て０にならなかった場合は、どこかで誤りが発生していることになる。
【特許文献１】特開２００３−１０１４１９号公報
【非特許文献１】橋本明記，亀井雅，山▲崎▼雷太、川口豊、「長周期インターリーブ伝送方式」、電子情報通信学会技術研究報告、ＳＡＴ２００１−９３、ｐｐ．６９−７６、Ｊａｎ．２００２
【発明の開示】
【発明が解決しようとする課題】
【００３２】
ところで、伝送するパケットフレームがＲＳ（Ｋ，Ｍ）、Ｎ＝Ｋ−Ｍの場合、Ｎ／２バイト以上の誤りが発生した場合、そのまま復号すると正常データに復元することができない。したがって、データを少ない検査ブロック長で正常に復元するためには、インターリーブ時間を長くして誤りデータを十分に分散させる必要がある。しかしながら、インターリーブ時間が長くなると、受信側に大容量の蓄積が必要となる。
【００３３】
しかしながら、従来方式において、降雨遮断等によるデータ誤りを復元して、１００％のサービス時間率を達成するためには、例えば、遮断時間Ｙ＝３０分に対して、符号ブロック長Ｋ＝２０４バイト，情報ブロック長Ｍ＝１８８バイト，情報ブロックに付加される検査ブロック（パリティ）Ｎ＝１６バイトとしたとき、Ｙ／（Ｎ／２／Ｋ）＝３０／（１６／２／２０４）＝７６５分のインターリーブ時間が必要となる。
【００３４】
また、上述した条件において、データの蓄積容量は、伝送レートが２０Ｍｂｐｓの場合、２０（Ｍｂｐｓ）×７６５（分）×６０（秒）／８（ビット）＝１１４ＧＢもの膨大な容量が必要となってしまう。
【００３５】
本発明は、上述した問題点に鑑みなされたものであり、誤り訂正能力を向上させ、インターリーブ時間を短縮するためのインターリーブ伝送システム、送信装置、及び受信装置を提供することを目的とする。
【課題を解決するための手段】
【００３６】
上記課題を解決するために、本件発明は、以下の特徴を有する課題を解決するための手段を採用している。
【００３７】
請求項１に記載された発明は、予め設定される時間に基づいてインターリーブされた伝送パケットを送信する送信装置と、前記送信装置からの伝送パケットを受信してパケットデータとして再生する受信装置とからなるインターリーブ伝送システムにおいて、前記送信装置は、入力されるパケットデータを複数の符号を合成した積符号からなる伝送パケットに符号化する符号化手段を有し、前記受信装置は、前記伝送パケットに対してデータの誤りを検出し、検出結果に基づいてパケット単位で復号又は消失を行う第１の復号化手段と、前記第１の復号化手段により得られる消失されたパケットの誤り訂正を行う第２の復号化手段とを有することを特徴とする。
【００３８】
請求項１記載の発明によれば、誤り訂正能力を向上させ所望のサービス時間率の達成に必要なインターリーブ時間を短縮することができる。具体的には、インターリーブの伝送フレーム構成を、複数の符号の合成である積符号の関係にして、一方の符号で誤り位置検出を行い、更にもう一方の符号で消失訂正を行うことで誤り訂正能力を向上することができる。
【００３９】
請求項２に記載された発明は、予め設定される時間に基づいてインターリーブされた伝送パケットを送信する送信装置において、入力されるパケットデータを予め設定された時間分の書き込みを行い、書き込まれたパケットデータを書き込み方向とは異なる方向で読み出しを行うインターリーバと、送信側では、前記インターリーバから読み出されたパケットデータを受信側で訂正させるためのパリティを付加して符号化を行い、符号化された伝送パケットを前記インターリーバに出力する第１の符号化手段と、前記インターリーバから読み出されたパケットデータを受信側でパケット単位に消失させるためのパリティを付加して符号化を行う第２の符号化手段とを有することを特徴とする。
【００４０】
請求項２記載の発明によれば、送信側において、一方の符号で誤り位置検出を行い、更にもう一方の符号で消失訂正を行うことで誤り訂正能力を向上することができる。これにより、所望のサービス時間率の達成に必要なインターリーブ時間を短縮させることができる。
【００４１】
請求項３に記載された発明は、前記第２の符号化手段により得られる伝送パケットは、複数の符号を合成した積符号からなるフレーム構成を有することを特徴とする。
【００４２】
請求項３記載の発明によれば、複数の符号の合成である積符号の関係にすることで、書き込みと読み出しとが異なる方向で行われるインターリーブ方式において誤り訂正能力を向上することができる。
【００４３】
請求項４に記載された発明は、受信側で消失させるパケット長を調整するためのデータバッファ手段を有することを特徴とする。
【００４４】
請求項４記載の発明によれば、伝送路の減衰状態や所望する誤り訂正能力等に応じて送信側で消失させるパケット長を調整することができる。これにより、例えば、ＲＳ符号化の際の情報ブロック長を短く設定することができるため、ＲＳ符号化の演算時間を短縮することができる。
【００４５】
請求項５に記載された発明は、前記パケットデータを蓄積する複数の蓄積手段と、前記複数の蓄積手段に対して前記パケットデータの書き込み、読み出しを交互に行うよう切り替えを行う切替手段と、前記蓄積手段及び前記切替手段を制御して、前記複数の蓄積手段から交互に連続したパケットデータを出力させるための制御手段とを有することを特徴とする。
【００４６】
請求項５記載の発明によれば、蓄積手段を複数有することにより、例えば一方の蓄積手段でデータの書き込みを行っている最中に、もう一方の蓄積手段でデータの読み出しを行うことができる。これにより、データの停滞を防止することができる。
【００４７】
請求項６に記載された発明は、予め設定される時間に基づいてインターリーブされた伝送パケットを受信する受信装置において、前記伝送パケットに対してデータの誤りを検出し、検出結果に基づいてパケット単位で復号又は消失を行う第１の復号化手段と、前記第１の復号化手段により得られる消失されたパケットの誤り訂正を行う第２の復号化手段とを有することを特徴とする。
【００４８】
請求項６記載の発明によれば、第１の復号化手段により、誤り位置検出を行い、検出結果に基づいて対応するパケット単位に消去することで、第２の復号化手段は誤り検出位置を容易に特定でき消失訂正のみを行うだけでよいため、誤り訂正能力を向上することができる。これにより、所望のサービス時間率の達成に必要なインターリーブ時間を短縮することができる。
【００４９】
請求項７に記載された発明は、前記第１の復号化手段は、入力された前記伝送パケットの誤り検出を行い、誤り数が訂正できる数を超えている場合、復号は行わずにパケット単位で消去することを特徴とする。
【００５０】
請求項７記載の発明によれば、検出処理に有する時間を省略することで、復号時間を短縮することができる。
【００５１】
請求項８に記載された発明は、前記伝送パケットを蓄積する複数の蓄積手段と、前記複数の蓄積手段に対して前記伝送パケットの書き込み、読み出しを交互に行うよう切り替えを行う切替手段と、前記蓄積手段及び前記切替手段を制御して、前記複数の蓄積手段から交互に連続した伝送パケットを出力させるための制御手段とを有することを特徴とする。
【００５２】
請求項８記載の発明によれば、蓄積手段を複数有することにより、一方の蓄積手段でデータの書き込みを行っている最中に、他方の蓄積手段でデータの読み出しを行うことができる。これにより、データの停滞を防止することができる。
【発明の効果】
【００５３】
本発明によれば、誤り訂正能力を向上させ、所望のサービス時間率の達成に必要なインターリーブ時間を短縮させることができる。
【発明を実施するための最良の形態】
【００５４】
＜本発明の概要＞
本発明は、長周期インターリーブに用いるパケットのフレーム構成を複数の符号の合成である積符号の関係にして、一方の符号で誤り位置検出を行い、もう一方の符号で消失訂正を行う。
【００５５】
ここで、積符号について図を用いて説明する。図５は、積符号を説明するための一例の図である。積符号は、二つのブロック符号Ｃ１（Ｋ，Ｍ）、Ｃ２（ｋ，ｍ）が与えられた場合、図５に示すようにＫ行ｋ列の２次元配列に配置し、各列のＭ個の情報ブロックを符号化し、次に各行のｍ個の情報ブロックを符号化して全体として長さＫｋの符号語が得られ、この符号は（Ｋｋ，Ｍｍ）と表すことができる。これをＣ１、Ｃ２の積符号という。なお、Ｃ１、Ｃ２の符号化の順序を入れ替えても得られる符号語Ｃは同じである。
【００５６】
本発明では、図５に示すフレーム構成とすることにより、Ｃ１とＣ２の符号の合成である積符号の関係にして、例えば、Ｃ１で消失化を行い、Ｃ２で消失訂正を行うことで、誤り訂正能力を向上させインターリーブ時間の短縮を実現する。
【００５７】
ここで、消失とは、誤り訂正時に「０」か「１」かの判定が困難な時に無理に判定することはせず、そのデータを消失したものとして扱うことをいう。また、消失訂正とは、符号内の消失位置がわかっているデータに対して訂正処理のみを行うことをいう。
【００５８】
＜実施形態＞
以下に、上記のような特徴を有する本発明におけるインターリーブ伝送システム、送信装置、及び受信装置を好適に実施した形態について、図面を用いて詳細に説明する。
【００５９】
＜システム構成＞
図６は、本発明におけるインターリーブ伝送システムの概略構成を示す一例の図である。図６に示すインターリーブ伝送システム６０は、送信装置６１と、受信装置６２とを有するよう構成されており、送信装置６１から送信される電波は、放送衛星６３を介して衛星伝搬路により受信装置６２に送信される。
【００６０】
送信装置６１は、長周期インターリーバ７１と、第１ＲＳ符号化部７２と、第２ＲＳ符号化部７３と、変調部７４と、送信アンテナ７５とを有するよう構成されている。また、受信装置６２は、受信アンテナ７６と、復調部７７と、第１ＲＳ復号化部７８と、長周期デインターリーバ７９と、第２ＲＳ復号化部８０とを有するよう構成されている。なお、図６に示す長周期インターリーバ７１及び長周期デインターリーバ７９において、データの書き込み、読み出しを行うためのデータ蓄積手段として、メモリやハードディスク等を有する。
【００６１】
まず、送信装置６１において、パケットデータが長周期インターリーバ７１に入力されると、長周期インターリーバ７１は、予め設定された時間分のデータの書き込みを行う。また、長周期インターリーバ７１は、蓄積したデータを書き込み方向とは異なる方向で読み出し、第１ＲＳ符号化部７２に出力する。第１ＲＳ符号化部７２は、伝送中に降雨減衰等によって生じるデータの欠落を、送信側において訂正させるためのパリティを付加してＲＳ符号化を行う。
【００６２】
次に、第１ＲＳ符号化部７２は、ＲＳ符号化した伝送パケットを長周期インターリーバ７１に出力する。長周期インターリーバ７１は、第１ＲＳ符号化部７２から入力した伝送パケットに対して予め設定されるインターリーブ時間分の書き込みを行う。また、長周期インターリーバ７１は、蓄積したデータを書き込み方向と異なる方向に読み出し、第２ＲＳ符号化部７３に出力する。
【００６３】
第２ＲＳ符号化部７３は、伝送中の降雨減衰等によって生じた欠落部分を送信側において消失させるためのＲＳ符号化を行う。また、第２ＲＳ符号化部７３は、符号化した伝送パケットを変調部７４に出力する。変調部７４は、入力した伝送パケットの変調を行うアプリケーションや衛星伝送路等に適した方式で変調し、例えば所定の搬送波周波数の電波として送信アンテナ７５により送信させる。なお、変調部７４における変調方式は、位相変調に限らない。
【００６４】
ここで、放送衛星６３を中継したデータは、伝送路の途中で強い降雨等があるとして、電波減衰の影響を受け、受信装置６２に送信される。
【００６５】
受信装置６２では、降雨減衰の影響を受けた電波を受信アンテナ７６で受信し、受信したデータを復調部７７に出力する。復調部７７は、入力した伝送パケットの変調方式に対応した方式で復調を行う。また、復調部入力周波数へ周波数変換を行う。更に、復調部７７は、復調後のデータを第１ＲＳ復号化部７８に出力する。
【００６６】
第１ＲＳ復号化部７８は、入力したデータの誤り検出を行い、検出された結果に基づいてＲＳ復号化又は消失化を行う。具体的には、入力したデータの誤り検出を行い、誤り数が訂正できる数を超えている場合、ＲＳ復号化は行わずにパケット単位で消失化を行う。なお、消失化したパケット部分は、ＮＵＬＬ等の初期値などがセットされることになる。
【００６７】
また、第１ＲＳ復号化部７８において消失されないデータは復号化されて長周期デインターリーバ７９に出力される。長周期デインターリーバ７９は、入力したデータを予め設定されるインターリーブ時間分書き込み、送信側と同様のフレーム構成で再配置する。また、長周期デインターリーバ７９は、蓄積したデータを書き込み方向とは異なる方向に読み出し、第２ＲＳ復号化部８０へ出力する。
【００６８】
第２ＲＳ復号化部８０は、入力したデータの誤り訂正（消失訂正）を行う。また、第２ＲＳ復号化部８０は、復号後のデータを長周期デインターリーバ７９に出力する。
【００６９】
長周期デインターリーバ７９は、第２ＲＳ復号化部８０より入力したデータを所定時間分書き込む。また、長周期デインターリーバ７９は、蓄積したデータを書き込み方向と異なる方向に読み出しパケットデータとして出力（再生）される。
【００７０】
上述したように、第１ＲＳ符号化部７２及び第２ＲＳ符号化部７３を用いて、複数の符号の合成である積符号の関係にして、第１ＲＳ復号化部７８及び第２ＲＳ復号化部８０を用いて誤り訂正能力を向上させ、長周期インターリーバ７１及び長周期デインターリーバ７９で分散された誤りデータを元の信号に復元することができる。
【００７１】
＜送信装置機能構成＞
次に、本実施形態における送信装置６１の具体的な機能構成例のついて、図を用いて説明する。なお、後述する機能構成ではパケットデータの一例としてＭＰＥＧ（Ｍｏｖｉｎｇ  Ｐｉｃｔｕｒｅ  Ｅｘｐｅｒｔｓ  Ｇｒｏｕｐ）パケットを送信する例を示すが、本発明において適用可能なパケットデータはこの限りではない。
【００７２】
図７は、本実施形態における送信装置の機能構成の一例を示す図である。図７に示す送信装置６１は、第１データ切替手段１０１と、第１データ蓄積手段１０２と、第２データ蓄積手段１０３と、第１制御手段１０４と、第２データ切替手段１０５と、第１ＲＳ符号化手段１０６と、第３データ切替手段１０７と、第３データ蓄積手段１０８と、第４データ蓄積手段１０９と、第２制御手段１１０と、第４データ切替手段１１１と、データバッファ手段１１２と、第２ＲＳ符号化手段１１３と、変調手段１１４と、送信手段１１５とを有するよう構成されている。
【００７３】
ここで、図７において、第１データ切替手段１０１と、第１データ蓄積手段１０２と、第２データ蓄積手段１０３と、第１制御手段１０４と、第２データ切替手段１０５と、第３データ切替手段１０７と、第３データ蓄積手段１０８と、第４データ蓄積手段１０９と、第２制御手段１１０と、第４データ切替手段１１１と、データバッファ手段１１２とは、長周期インターリーバに設けられる機能である。
【００７４】
また、第１データ蓄積手段１０２と、第２データ蓄積手段１０３と、第３データ蓄積手段１０８と、第４データ蓄積手段１０９とは、データの書き込み速度、読み出し速度、蓄積容量が全て同一であるものとする。
【００７５】
また、第１データ蓄積手段１０２及び第２データ蓄積手段１０３は、所定時間分の書き込みが終了した時点、また第３データ蓄積手段１０８及び第４データ蓄積手段１０９は、インターリーブ時間分のデータの書き込みが終了した時点で、第１データ蓄積手段１０２もしくは第２データ蓄積手段１０３は、制御信号の電圧Ｈｉｇｈを第１制御手段１０４に出力し、第３データ蓄積手段１０８もしくは第４データ蓄積手段１０９は、制御信号の電圧Ｈｉｇｈを第２制御手段１１０に出力する。
【００７６】
このように、第１データ蓄積手段１０２及び第２データ蓄積手段１０３と、第３データ蓄積手段１０８及び第４データ蓄積手段１０９とがそれぞれ対になっている理由は、ダブルバッファ構成にしてお互いの書き込みと読み出しのタイミングを逆にして交互に繰り返すことで、データの停滞を防止するためである。なお、データ蓄積手段は、２つに限らず複数あればよい。
【００７７】
また、第１データ切替手段１０１及び第３データ切替手段１０７は、それぞれ第１制御手段１０４及び第２制御手段１１０からの制御信号の電圧Ｈｉｇｈを受信したとき、入力されるデータを図７に示すＳｉｄｅ１に出力し、制御信号の電圧Ｌｏｗを受信したとき、入力されるデータを図７に示すＳｉｄｅ２に出力するスイッチの役割を果たす。
【００７８】
一方、第２データ切替手段１０５及び第４データ切替手段１１１は、それぞれ第１制御手段１０４及び第２制御手段１１０からの制御信号の電圧Ｈｉｇｈを受信したとき、図７に示すＳｉｄｅ２からのデータに切り替えて出力し、制御信号の電圧Ｌｏｗを受信したとき、図７に示すＳｉｄｅ１からのデータに切り替えて出力する。
【００７９】
更に、第１制御手段１０４は、第１データ蓄積手段１０２と、第２データ蓄積手段１０３と、第１データ切替手段１０１と、第２データ切替手段１０５とにおける動作を制御する。具体的には、第１データ蓄積手段１０２又は第２データ蓄積手段１０３からの制御信号の電圧Ｈｉｇｈを受け付ける度に、各部へ同一の制御信号の電圧ＨｉｇｈもしくはＬｏｗを切り替えて出力する。
【００８０】
同様に、第２制御手段１１０は、第３データ蓄積手段１０８と、第４データ蓄積手段１０９と、第３データ切替手段１０７と、第４データ切替手段１１１とにおける動作を制御する。具体的には、第３データ蓄積手段１０８又は第４データ蓄積手段１０９からの制御信号の電圧Ｈｉｇｈを受け付ける度に、各部へ同一の制御信号の電圧ＨｉｇｈもしくはＬｏｗを切り替えて出力する。
【００８１】
また、第１ＲＳ符号化手段１０６は、降雨減衰等により生じるデータの欠落を受信側にて訂正させるためのパリティを付加してＲＳ符号化を行う。また、データバッファ手段１１２は、ＲＳ符号の情報ブロック分の蓄積を行う。また、第２ＲＳ符号化手段１１３は、降雨減衰等により生じるデータの欠落部分を消失させるためのパリティを付加してＲＳ符号化を行う。変調手段１１４は、アプリケーションや衛星伝送路に適した方式で変調を行う。更に、送信手段１１５は、変調手段１１４により変調されたデータを送信する。
【００８２】
ここで、具体的な動作内容について説明する。例えば、第１制御手段１０４及び第２制御手段１１０の制御信号の電圧がＨｉｇｈの状態である場合、第１切替手段１０１は、データ出力先として図７に示すＳｉｄｅ１が選択され、第１データ蓄積手段１０２にＭＰＥＧパケットを出力する。ここで、第１データ蓄積手段１０２に蓄積されるフレーム構成例について、図を用いて説明する。
【００８３】
図８は、送信側における第１データ蓄積手段に蓄積されるフレーム構成の一例を示す図である。図８に示すように、第１データ蓄積手段１０２は、入力したＭＰＥＧパケットを矢印３５の方向にしたがって、所定時間分（図８においては、Ｍ（Ｙ軸）×Ｌ（Ｘ軸）バイト［ｂｙｔｅ］分）を書き込む。なお、Ｆｎは最小インターリーブフレームを示す。
【００８４】
第１データ蓄積手段１０２は、伝送フレーム分の書き込みが終了した後、第１制御手段１０４に制御信号の電圧Ｈｉｇｈを送信し、第１制御手段１０４からの制御信号Ｌｏｗを受信するまで待機する。
【００８５】
次に、第１データ蓄積手段１０２は、第１制御手段１０４からの制御信号の電圧Ｌｏｗを受信後、図８に示す矢印３６の順にしたがって、蓄積された所定時間分のＭＰＥＧパケットを出力する。
【００８６】
また、第２データ切替部１０５は、第１制御手段１０４からの制御信号の電圧Ｌｏｗを受信すると、Ｓｉｄｅ１からのデータを出力し、第１データ蓄積手段１０２から読み出されたＭＰＥＧパケットが第１ＲＳ符号化手段１０６に出力される。
【００８７】
なお、第１制御手段１０４の制御信号の電圧がＬｏｗに切り替わることで、第１データ切替手段１０１に入力されるＭＰＥＧパケットは、第２データ蓄積手段１０３で所定時間分書き込まれる。
【００８８】
第１ＲＳ符号化手段１０６は、入力したＭＰＥＧパケットを、情報ブロック長をＭバイトとしたとき検査ブロックをＮバイトとして、符号ブロック長ＫバイトのＲＳ符号化を行う。ＲＳ符号化後の伝送パケットは、第２制御手段１１０からの制御信号の電圧Ｈｉｇｈを受信した第３データ切替部１０７において、Ｓｉｄｅ１に出力される。ここで、第３データ蓄積手段１０８に蓄積されるフレーム構成例について、図を用いて説明する。
【００８９】
図９は、送信側における第３データ蓄積手段に蓄積されるフレーム構成の一例を示す図である。図９に示すように、第３データ蓄積手段１０８は、伝送パケットを矢印３７の方向にしたがって、入力した伝送フレーム分（図９においては、Ｋ×Ｌバイト［ｂｙｔｅ］分）を書き込む。また、第３データ蓄積手段１０８は、伝送フレーム分の書き込みが終了後、第２制御手段１１０に制御信号の電圧Ｈｉｇｈを送信して、第２制御手段１１０からの制御信号の電圧Ｌｏｗを受信後、図９に示す矢印３８の順にしたがって、蓄積された時間分（Ｋ×Ｌバイト分）のデータを読み出し、データバッファ手段１１２に出力する。
【００９０】
データバッファ手段１１２は、ｍバイトのＦＩＦＯ（Ｆｉｒｓｔ  Ｉｎ  Ｆｉｒｓｔ  Ｏｕｔ）を用いてｍバイト単位での伝送パケットの入出力を行う。これは、ＲＳ符号化の際の情報ブロック長を伝送路の減衰状態や所望の誤り訂正能力等に応じて調整することができる。例えば、ＲＳ符号化の際の情報ブロック長を短く設定することにより、ＲＳ符号化の演算時間を短縮することができる。
【００９１】
データバッファ手段１１２は、ｍバイト単位の伝送パケットを第２ＲＳ符号化手段１１３へ出力する。第２ＲＳ符号化手段１１３は、情報ブロックをｍバイトとして検査ブロック長ｎバイト、符号ブロック長ｋバイトにより、ＲＳ符号化を行う。
【００９２】
ここで、第２ＲＳ符号化手段１１３にて符号化された後のフレーム構成例について、図を用いて説明する。図１０は、ＲＳ符号化後のフレーム構成の一例を示す図である。図１０は、Ｘ軸方向にＲＳ符号長ｋバイト×Ｆｎ個の伝送パケットと、Ｙ軸方向にＲＳ符号長Ｋバイトの伝送パケットが配置された構成となっている。
【００９３】
この伝送フレームは、ｋ×Ｋバイトの小さな伝送フレームをＦｎ個多重しているということもでき、ＲＳ符号長ｋバイトとＲＳ符号長Ｋバイトとは共に積符号の関係になっているため、例えば、ｎバイトでデータの消失化を行い、Ｎバイトで消失訂正を行うことができる。
【００９４】
なお、上述したように、データバッファ手段１１２が、ｍバイト程度のＦＩＦＯを想定した場合、Ｘ軸方向においてｋバイト毎にＲＳ符号化することができ、ｋ×Ｆｎバイト全体をＲＳ符号長とする場合に比べてＲＳ符号化の演算時間を短縮することができる。
【００９５】
ここで、データの書き込み方向・読み出し方向の具体例について図を用いて説明する。図１１は、データの書き込み方向・読み出し方向の具体例を説明する一例の図である。
【００９６】
図１１に示すよう、Ｘ軸方向にＲＳ符号長２００［バイト］×４００個の伝送パケットと、Ｙ軸方向にＲＳ符号長４００［バイト］の伝送パケットが配置されたフレーム構成は、４００×２００バイトの小さな伝送フレームを４００個多重していると考えることができる。例えば、今、連続的なデータ誤り８００００バイトが発生したとする。仮に、データの書き込み・読み出しを、図１１に示す矢印３９−１の順にしたがって２００バイト×４００で折り返したときと、図１１に示す矢印３９−２の順にしたがって２００バイトで折り返した場合で比較してみると、矢印３９−１の場合はＹ軸方向で見たとき、その誤り割合を１／４００にすることができ、誤りデータを効率的に復元することができるが、矢印３９−２の場合は４００×２００の小さな伝送フレームが全てデータ誤りとなりデータを復元することができない。従って、データの読み出し方向と書き込み方向は矢印３９−１に示すように行うことが望ましい。
【００９７】
第２ＲＳ符号化手段１１３は、ＲＳ符号化した伝送パケットを変調手段１１４に出力する。変調手段１１４は、入力された伝送パケットに変調を行った後、送信手段１１５に出力し、送信手段１１５は変調された信号を電波として送信する。
【００９８】
＜受信装置機能構成＞
次に、本実施形態における受信装置６２の機能構成例のついて、図を用いて説明する。なお、後述する機能構成ではパケットデータの一例としてＭＰＥＧパケットを受信する例を示すが、本発明において適用可能なパケットはこの限りではない。
【００９９】
図１２は、本実施形態における受信装置の機能構成の一例を示す図である。図１２に示す受信装置６２は、受信手段１２１と、復調手段１２２と、データバッファ手段１２３と、データ消失手段１２４と、第１データ切替手段１２５と、第１制御手段１２６と、第１データ蓄積手段１２７と、第２データ蓄積手段１２８と、第２データ切替手段１２９と、データ消失訂正手段１３０と、第３データ切替手段１３１と、第２制御手段１３２と、第３データ蓄積手段１３３と、第４データ蓄積手段１３４と、第４データ切替手段１３５とを有するよう構成されている。
【０１００】
ここで、図１２において、データバッファ手段１２３と、第１データ切替手段１２５と、第１制御手段１２６と、第１データ蓄積手段１２７と、第２データ蓄積手段１２８と、第２データ切替手段１２９と、第３データ切替手段１３１と、第２制御手段１３２と、第３データ蓄積手段１３３と、第４データ蓄積手段１３４と、第４データ切替手段１３５とは、長周期デインターリーバに設けられる機能である。また、データ消失手段１２４と、データ消失訂正手段１３０とは、ＲＳ復号化部に設けられる機能である。
【０１０１】
更に、第１データ蓄積手段１２７と、第２データ蓄積手段１２８と、第３データ蓄積手段１３３と、第４データ蓄積手段１３４とは、データの書き込み速度、読み出し速度、蓄積容量が全て同一であるものとする。
【０１０２】
受信手段１２１は、放送衛星６３等により送信装置６１から送信された電波を受信する。また、復調手段１２２は、受信手段１２１より入力された伝送パケットを復調する。データバッファ手段１２３は、例えば送信側と同じ数百バイト程度のＦＩＦＯを想定しており、ＲＳ復号化に必要な演算時間を短縮するために予め設定されるデータの蓄積を行う。
【０１０３】
データ消失手段１２４は、伝送パケットのデータの誤り検出を行い、検出結果に基づいて対応するパケットの復号又は消去を行う。また、データ消失訂正手段１３０は、消失されたデータに対して誤り訂正処理を行う。
【０１０４】
また、第１データ蓄積手段１２７及び第２データ蓄積手段１２８は、インターリーブ時間分の書き込みが終了した時点、また第３データ蓄積手段１３３及び第４データ蓄積手段１３４は、所定時間分のデータの書き込みが終了した時点で、第１データ蓄積手段１２７もしくは第２データ蓄積手段１２８は、制御信号の電圧Ｈｉｇｈを第１制御手段１２６に出力し、第３データ蓄積手段１３３もしくは第４データ蓄積手段１３４は、制御信号の電圧Ｈｉｇｈを第２制御手段１３２に出力する。
【０１０５】
このように、第１データ蓄積手段１２７と、第２データ蓄積手段１２８と、第３データ蓄積手段１３３及び第４データ蓄積手段１３４とがそれぞれ対になっている理由は、上述した送信装置と同様にダブルバッファ構成にしてデータの停滞を防止するためである。なお、データ蓄積手段は、２つに限らず複数であればよい。
【０１０６】
また、第１データ切替手段１２５及び第３データ切替手段１３１は、それぞれ第１制御手段１２６及び第２制御手段１３２からの制御信号の電圧Ｈｉｇｈを受信したとき、入力されるデータを図１２に示すＳｉｄｅ１に出力し、制御信号の電圧Ｌｏｗを受信したとき、入力されるデータを図７に示すＳｉｄｅ２に出力するスイッチの役割を果たす。
【０１０７】
一方、第２データ切替手段１２９及び第４データ切替手段１３５は、それぞれ第１制御手段１２６及び第２制御手段１３２からの制御信号の電圧Ｈｉｇｈを受信したとき、図１２に示すＳｉｄｅ２からのデータに切り替えて出力し、制御信号の電圧Ｌｏｗを受信したとき、図１２に示すＳｉｄｅ１からのデータに切り替えて出力する。
【０１０８】
更に、第１制御手段１２６は、第１データ蓄積手段１２７と、第２データ蓄積手段１２８と、第１データ切替手段１２５と、第２データ切替手段１２９とにおける動作を制御する。具体的には、第１データ蓄積手段１２７又は第２データ蓄積手段１２８からの制御信号の電圧Ｈｉｇｈを受け付ける度に、各部へ同一の制御信号の電圧ＨｉｇｈもしくはＬｏｗを切り替えて出力する。
【０１０９】
同様に、第２制御手段１３２は、第３データ蓄積手段１３３と、第４データ蓄積手段１３４と、第３データ切替手段１３１と、第４データ切替手段１３５とにおける動作を制御する。具体的には、第３データ蓄積手段１３３又は第４データ蓄積手段１３４からの制御信号の電圧Ｈｉｇｈを受け付ける度に、各部へ同一の制御信号の電圧ＨｉｇｈもしくはＬｏｗを切り替えて出力する。
【０１１０】
ここで、具体的な動作内容について説明する。受信手段１２１は、放送衛星６３等により送信装置６１から送信された電波を受信し、復調手段１２２に出力する。また、復調手段１２２は、受信手段１２１より入力された受信信号を送信側の変調方式に対応させて復調する。また、復調手段１２２は、復調したデータをデータバッファ手段１２３に出力する。
【０１１１】
データバッファ手段１２３は、予め設定されたデータ分の蓄積を行う。また、データバッファ手段１２３は、蓄積されたデータをデータ消失手段１２４に出力する。
【０１１２】
データ消失手段１２４は、入力された伝送パケット（ＲＳ［ｋ，ｍ］符号、ｎ＝ｋ−ｍ）に対して上述した（６）式により、σ（ｘ）＝０となる誤り位置ｘを検出する。
【０１１３】
次に、検出結果に基づいてパケット単位にＲＳ復号又は消失を行う。ここで、上述の内容を具体的に説明すると、例えば、σ＝０となるαの数がｎ／２個以上の場合には、ＲＳ復号は行わず、符号ブロック長にあたるパケット単位の全てのデータを消失させて、そのパケットのデータを出力しないようにする（ただし、このとき蓄積手段への書き込み位置はカウントアップしており、消失したパケット部分には、ＮＵＬＬ等の初期値等がセットされる。）。
【０１１４】
通常、ＲＳ符号では、誤りの検出を行ってから誤りの訂正を行うため、検査ブロックｎに対してｎ／２バイトで誤りの検出、残りのｎ／２バイトで誤りの訂正を行う。しかしながら、消失位置がわかっていればｎバイトの全データを復元する消失訂正が可能である。消失訂正ができれば、単に誤り位置の検出と訂正を行う通常のＲＳ復号方式に比べて２倍のデータ数を訂正できることになる。
【０１１５】
データ消失手段１２４にてデータ消失化が行われた後のデータは、例えば第１の制御手段１２６からの制御電圧Ｈｉｇｈを受けた第１データ切替手段１２５により、Ｓｉｄｅ１に切り替えられて第１データ蓄積手段１２７へ出力される。
【０１１６】
ここで、受信側における第１データ蓄積手段に蓄積される伝送パケットのフレーム構成例について、図を用いて説明する。図１３は、受信側における第１データ蓄積手段に蓄積される伝送パケットのフレーム構成の一例を示す図である。
【０１１７】
第１データ蓄積手段１２７は、入力された伝送パケットを図１３に示す矢印４０の順にしたがって、インターリーブ時間分（図１３においては、Ｋ×Ｌバイト分）書き込む。なお、伝送途中で降雨減衰等によって生じたデータ欠落は消失パケットとして図１３の斜線で示すようにＸ軸方向に連続して発生していることになるが、これをＹ軸方向で見た場合、パケットの消失に対してデータ欠落は１／Ｌバイトにすぎず、更にデータがパケット単位で消失化していることで、誤り位置を容易に特定することができ、従来方式と比べて効果的に誤り訂正を行うことができる。
【０１１８】
次に、第１データ蓄積手段１２７は、伝送フレーム分の書き込みが終了した後、第１制御手段１２６に制御信号の電圧Ｈｉｇｈを送信して、第１制御手段１２６からの制御信号の電圧Ｌｏｗを受信するまで待機する。また、第１データ蓄積手段１２７は、第１制御手段１２６からの制御電圧Ｌｏｗを受信後、図１３に示す矢印４１の順にしたがってインターリーブ時間分（Ｋ×Ｌバイト分）の伝送パケットを読み出す。
【０１１９】
その後、第１データ蓄積手段１２７により出力されたデータは、第２データ切替手段１２９によりデータ消失訂正手段１３０に出力される。データ消失訂正手段１３０は、入力されたデータの消失訂正を行う。つまり、符号内の消失位置がわかっているデータに対して訂正処理のみを行う。なお、第１データ蓄積手段１２７にて蓄積されていない消失した伝送パケットは、この消失位置が誤り位置をみなすことができるため、上述した（４）式を使用した誤り位置多項式の導出が不要になる。
【０１２０】
ここで、上述の内容について図を用いて説明する。図１４は、ＲＳ復号時の受信多項式生成過程を説明するための図である。なお、図１４において消失されたデータは、１８６〜１８８バイト目として説明する。
【０１２１】
図１４に示す受信符号多項式Ｒ（ｘ）に１８６〜１８８バイト目に対応するｘの項が存在しないため、受信多項式自体を確認するだけで誤り位置を特定することができる。
【０１２２】
これにより、上述した（４）式を省略した（３）式、（６）式を用いて計算を行うことで、σ１〜σ２ｔを算出し、上述した（７）式を解くことで、２ｔ（＝Ｎ）バイトまでの誤り訂正が可能となる。したがって、従来方式のＲＳ符号の訂正能力に比べて２倍の訂正能力を有しているということができる。
【０１２３】
データ消失訂正手段１３０は、積符号の残りのパリティ（符号）により消失訂正を行い、消失訂正後のＭＰＥＧパケットを第３データ切替手段１３１に出力する。第３データ切替手段１３１は、第２制御手段１３２からの制御電圧Ｈｉｇｈを受けてＳｉｄｅ１に切り替えてＭＰＥＧパケットを出力する。ここで、第３データ蓄積手段１３３に蓄積されるＭＰＥＧパケットのフレーム構成例について、図を用いて説明する。
【０１２４】
図１５は、受信側における第３蓄積手段に蓄積されるフレーム構成例を示す一例の図である。第３データ蓄積手段１３３は、図１５に示す矢印４２の順にしたがって、予め設定されたフレーム分（Ｍ×Ｌバイト分）を書き込む。また、第３データ蓄積手段１３３は、ＭＰＥＧデータの蓄積が終了後、第２制御手段１３２に制御信号の電圧Ｈｉｇｈを送信して、第２制御手段１３２からの制御信号の電圧を受信後、図１５に示す矢印４３の順にしたがって、第３データ蓄積手段１３３に蓄積されたデータ（Ｍ×Ｌバイト）のデータを読み出し、第４データ切替手段１３５により、ＭＰＥＧパケットを出力（再生）する。
【０１２５】
上述したように、長周期インターリーブ方式の伝送フレーム構成を、複数の符号の合成である積符号の関係にして、一方の符号で誤り位置検出を行い、更にもう一方の符号で消失訂正を行うことで誤り訂正能力を向上し、従来方式と同じ情報の伝送効率で比較したとき、所望のサービス時間率の達成に必要なインターリーブ時間の短縮を実現することができる。
【０１２６】
＜従来と本発明との比較＞
ここで、従来方式と本発明を適用した伝送方式との比較を、伝送効率を同条件にしたインターリーブ時間とサービス時間率との測定結果に基づいて説明する。
【０１２７】
なお、従来方式として、ＲＳ［２０４，１５０］符号（情報の伝送効率７４％）を使用し、本発明を適用した伝送では、ＲＳ［２０４，１８８］符号（情報の伝送効率９２％）とＲＳ［２０４，１６３］符号（情報の伝送効率８０％）を用いた。
【０１２８】
また、降雨減衰データとして、２００２年５月〜２００３年４月の期間を使用し、現行の１２ＧＨｚ帯ＢＳデジタル放送の伝送方式に長周期インターリーブ方式を適用した。
【０１２９】
更に、ＢＳデジタル放送用伝送パラメータは、衛星ＥＩＲＰ（Ｅｑｕｉｖａｌｅｎｔ  Ｉｓｏｔｒｏｐｉｃａｌｌｙ  Ｒａｄｉａｔｅｄ  Ｐｏｗｅｒ）を５９ｄＢＷとし、変調方式をＴＣ８ＰＳＫ（Ｔｒｅｌｌｉｓ  Ｃｏｄｅｄ  ８  Ｐｈａｓｅ  Ｓｈｉｆｔ  Ｋｅｙｉｎｇ）とし、降雨マージンを４．８ｄＢとし、変調速度を２８．８６Ｍｂａｕｄとし、受信アンテナ径を４５ｃｍ（効率：７０％）とした。
【０１３０】
上述した条件に基づいて測定したインターリーブ時間とサービス時間率との関係を図１６に示す。図１６に示すように、従来方式と本発明を適用した伝送方式のインターリーブ時間を比較した場合、本発明を適用した伝送方式は、従来の伝送方式に比べて、例えば、サービス時間率９９．９８％を達成するのに必要なインターリーブ時間を約３時間程度短縮させることができる。
【０１３１】
また、従来方式は、降雨遮断によるデータ誤りを復元して、１００％のサービス時間率を達成するために遮断時間Ｙ＝３０分に対して、７６５分のインターリーブ時間を必要とし、データ蓄積部の蓄積容量は伝送レート２０Ｍｂｐｓの場合に１１４ＧＢが必要であった。
【０１３２】
しかしながら、本発明における長周期インターリーブのフレーム構成を複数の符号の合成である積符号の関係にして、一方の符号で誤り位置検出を行い、もう一方の符号で消失訂正を行うことにより、誤り訂正能力を向上し、Ｋ＝２０４，Ｍ＝１８８，Ｎ＝１６と条件が同じ場合でも、Ｙ／（Ｎ／Ｋ）＝３０／（１６／２０４）＝３８３分とインターリーブ時間を短縮することができる。更に、蓄積容量は、２０×３８３×６０／８＝５７ＧＢと約１／２に削減することができる。
【０１３３】
上述したように本発明によれば、所望のサービス時間率の達成に必要なインターリーブ時間を短縮することができる。具体的には、インターリーブ方式の伝送フレーム構成を、複数の符号の合成である積符号の関係にして、一方の符号で誤り位置検出を、更にもう一方の符号で消失訂正を行うことで誤り訂正能力を向上することができる。また、更に蓄積容量も削減することができる。
【０１３４】
以上本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【０１３５】
【図１】従来におけるインターリーブ伝送システムの概略構成を示す一例の図である。
【図２】従来の長周期インターリーバに蓄積される伝送フレーム構成の一例を示す図である。
【図３】従来の長周期デインターリーバに蓄積される伝送フレーム構成の一例を示す図である。
【図４】ＲＳ復号時における受信符号多項式Ｒ（ｘ）の生成過程を説明するための一例の図である。
【図５】積符号を説明するための一例の図である。
【図６】本発明におけるインターリーブ伝送システムの概略構成を示す一例の図である。
【図７】本実施形態における送信装置の機能構成の一例を示す図である。
【図８】送信側における第１データ蓄積手段に蓄積されるフレーム構成の一例を示す図である。
【図９】送信側における第３データ蓄積手段に蓄積されるフレーム構成の一例を示す図である。
【図１０】ＲＳ符号化後のフレーム構成の一例を示す図である。
【図１１】データの書き込み方向・読み出し方向の具体例を説明する一例の図である。
【図１２】本実施形態における受信装置の機能構成の一例を示す図である。
【図１３】受信側における第１データ蓄積手段に蓄積される伝送パケットのフレーム構成の一例を示す図である。
【図１４】ＲＳ復号時の受信多項式生成過程を説明するための図である。
【図１５】受信側における第３蓄積手段に蓄積されるフレーム構成例を示す一例の図である。
【図１６】インターリーブ時間とサービス時間率との関係を示す図である。
【符号の説明】
【０１３６】
１０，６０  インターリーブ伝送システム
１１，６１  送信装置
１２，６２  受信装置
１３，６３  放送衛星
２１  ＲＳ符号化部
２２，７１  長周期インターリーバ
２３，７４  変調部
２４，７５  送信アンテナ
２５，７６  受信アンテナ
２６，７７  復調部
２７，７９  長周期デインターリーバ
２８  ＲＳ復号化部
３１〜４３  矢印
７２  第１ＲＳ符号化部
７３  第２ＲＳ符号化部
７８  第１ＲＳ復号化部
８０  第２ＲＳ復号化部
１０１，１２５  第１データ切替手段
１０２，１２７  第１データ蓄積手段
１０３，１２８  第２データ蓄積手段
１０４，１２６  第１制御手段
１０５，１２９  第２データ切替手段
１０６  第１ＲＳ符号化手段
１０７，１３１  第３データ切替手段
１０８，１３３  第３データ蓄積手段
１０９，１３４  第４データ蓄積手段
１１０，１３２  第２制御手段
１１１，１３５  第４データ切替手段
１１２，１２３  データバッファ手段
１１３  第２ＲＳ符号化手段
１１４  変調手段
１２１  受信手段
１２２  復調手段
１２４  データ消失手段
１３０  データ消失訂正手段
【図１】
2005328397.tif 000011
【図２】
2005328397.tif 000012
【図３】
2005328397.tif 000013
【図４】
2005328397.tif 000014
【図５】
2005328397.tif 000015
【図６】
2005328397.tif 000016
【図７】
2005328397.tif 000017
【図８】
2005328397.tif 000018
【図９】
2005328397.tif 000019
【図１０】
2005328397.tif 000020
【図１１】
2005328397.tif 000021
【図１２】
2005328397.tif 000022
【図１３】
2005328397.tif 000023
【図１４】
2005328397.tif 000024
【図１５】
2005328397.tif 000025
【図１６】
2005328397.tif 000026